(57)【要約】      （修正有）【課題】エアコン部材を取り外し分解することなく、操作が便利であり、作業効率が高く、洗浄が徹底的な、カーエアコン蒸発器用の手持ち式可視洗浄装置を提供する。【解決手段】装置は、洗浄装置１及び手持ち式の可視化装置２を備える。洗浄装置１は１つのケース１１を有し、ケースの内部に液体タンクが配設される。液体タンクは対応の通風ダクトを介して通風ダクトインタフェースに接続され、液体タンクの底部に第１制御スイッチ１１１と電気接続される電磁弁が配置され、電磁弁の他の一端がドレンダクト１１２に接続され、ドレンダクトの末端に洗浄ノズル１１３が設けられている。手持ち式の可視化装置２は、ハンドル２１、第１表示制御機構及び内視鏡プローブ２２を有し、第１表示制御機構は、ハンドルに設けられ且つ内視鏡ワイヤによって内視鏡プローブに電気接続され、内視鏡ワイヤとドレンダクト１１２とがスリーブ２４により並行配置される。【選択図】図１
0003198823.tif 000002
【実用新案登録請求の範囲】
【請求項１】
カーエアコン蒸発器用の手持ち式可視洗浄装置であって、
洗浄装置と、手持ち式の可視化装置とを有し、
前記洗浄装置は１つのケースを有し、前記ケースの内部に、洗浄液体を貯蔵するための少なくとも１つの液体タンクが配設されており、前記液体タンクが、通風ダクトと接続されており、対応の前記通風ダクトを介して、前記ケースに配置されるダクトインタフェースに接続され、前記液体タンクの底部に第１制御スイッチと電気接続される電磁弁が配置され、前記電磁弁の他の一端が前記ケースの外部にあるドレンダクトに接続され、前記ドレンダクトの末端に洗浄ノズルが設けられており、
前記手持ち式の可視化装置は、ハンドル、第１表示制御機構及び内視鏡プローブを有し、前記第１表示制御機構は、前記ハンドルに設けられ且つ内視鏡ワイヤによって前記内視鏡プローブに電気接続され、前記内視鏡ワイヤと前記ドレンダクトの一端とが並行して設置されることを特徴とする、カーエアコン蒸発器用の手持ち式可視洗浄装置。
【請求項２】
前記液体タンクとして、洗剤タンク、洗浄液タンク及び滅菌剤タンクの３つのタンクが設けられたことを特徴とする、請求項１に記載のカーエアコン蒸発器用の手持ち式可視洗浄装置。
【請求項３】
前記液体タンクの頂部に開口が設けられ、前記開口に１つのタンク蓋が配置されることを特徴とする、請求項１に記載のカーエアコン蒸発器用の手持ち式可視洗浄装置。
【請求項４】
前記第１表示制御機構は、前記ハンドルに配置される第１表示装置及び第１制御パネルを有することを特徴とする、請求項１に記載のカーエアコン蒸発器用の手持ち式可視洗浄装置。
【請求項５】
前記第１制御スイッチは、前記ケースの外部又は前記ケースに設けられ、
前記ケースに、対応の前記電磁弁の開閉状態を表示するためのＬＥＤランプが配置され、
前記ケースに、気圧計、及び、気圧調整ノブ又は加圧・減圧ノブが配置されていることを特徴とする、請求項１に記載のカーエアコン蒸発器用の手持ち式可視洗浄装置。
【請求項６】
前記内視鏡ワイヤと前記ドレンダクトの一端の外部に、１つのスリーブが套設されることを特徴とする、請求項１に記載のカーエアコン蒸発器用の手持ち式可視洗浄装置。
【請求項７】
前記洗浄ノズルが、扇形構造を呈することを特徴とする、請求項１に記載のカーエアコン蒸発器用の手持ち式可視洗浄装置。
【請求項８】
前記ハンドルに第２制御スイッチが配置され、前記第２制御スイッチと前記第１制御スイッチとが電気接続されることを特徴とする、請求項５に記載のカーエアコン蒸発器用の手持ち式可視洗浄装置。
【請求項９】
前記ケースに第２表示制御機構が配置され、前記第２表示制御機構と前記第１表示制御機構とが電気接続され、前記第２表示制御機構は、第２表示装置及び第２制御パネルを有することを特徴とする、請求項１〜８の何れか１項に記載のカーエアコン蒸発器用の手持ち式可視洗浄装置。
【請求項１０】
前記第１表示制御機構又は前記第２表示制御機構は、ワイヤ又はワイヤレスの方式によって外部表示設備と通信できるように接続されることを特徴とする、請求項９に記載のカーエアコン蒸発器用の手持ち式可視洗浄装置。
【請求項１１】
前記ケースの内部に、遠隔制御端末と通信可能に接続されるメイン制御機構が配置され、
前記メイン制御機構は、制御モジュールと、それぞれ前記制御モジュールと電気接続される無線通信モジュール、ＧＰＳ位置測定モジュール、時間計測モジュール、使用回数計測モジュール、電力開閉制御モジュール、故障警報モジュール及び分解防止警報モジュールとを有し、
前記分解防止警報モジュールは、前記ケースの内部に配置される分解防止センサに電気接続され、
前記制御モジュールは、前記ケースに配置されるデジタルディスプレイに電気接続されることを特徴とする、請求項１に記載のカーエアコン蒸発器用の手持ち式可視洗浄装置。
【考案の詳細な説明】
【技術分野】
【０００１】
本考案は、自動車洗浄装置の技術分野に関し、より具体的には、カーエアコン蒸発器用の手持ち式可視洗浄装置に関する。
【背景技術】
【０００２】
自動車工業の発展や人々の物質面での生活水準の向上に伴い、乗り物に対して乗り心地、視野の広さ、及び温度の快適さが要求される。そこで、車内のエアコン蒸発器（「カーエアコン・エバポレータボックス」と称される場合もある）等を含む車内補助装置が現れるようになっている。
【０００３】
そのうち、カーエアコン蒸発器は、長期使用に当たって機体内部に汚れやバクテリアが大量に溜まる。従来、カーエアコン蒸発器の洗浄には、手作業による洗浄が一般的であり、つまり、カーエアコン蒸発器の外気取入口から洗浄剤を噴射し、更にエアコン蒸発器自体が発生する凝縮水で洗浄することが行われている。このような方法では、カーエアコン蒸発器の内部の洗浄効果が決して十分とは言えず、徹底的な清掃が必要であると共に、エアコン部材を取り外し分解する必要があり、よって、技術的要求が高く、作業量が多く、作業効率が低く、コスト面でも比較的高くなる。
【０００４】
こういった状況を踏まえ、現在、ケース、ケースの内部に設置される制御用マザーボード及び水ポンプを有するカーエアコン洗浄システムが商品化され、水ポンプがそれぞれ給水ダクト及び排水ダクトに接続されると共に、排水ダクトの排水口にスプレーガンが設けられており、洗浄液をどんどん吸い込んで洗浄部位へ噴出することでカーエアコン蒸発器の洗浄が効率よく行われる。電源スイッチ及び電源線インタフェースがケースの側面に設けられ、全ての電気部品が何れも電源スイッチによって制御される。このような洗浄装置には、通常、更に水ポンプの圧力を調整するための圧力調整スイッチが設けられる。しかしながら、このようなカーエアコン洗浄システムは、満遍なく均一に清掃できず、洗浄が不十分であり、作業が不便である等といった問題を常に抱えている。
【考案の概要】
【考案が解決しようとする課題】
【０００５】
本考案は、従来技術における上記欠点を解消することを目的とし、エアコン部材を取り外し分解することなく、操作が便利であり、作業効率が高く、洗浄が徹底的であり、且つリアルタイムに洗浄プロセスを表示できる、カーエアコン蒸発器用の手持ち式可視洗浄装置を提供するものである。
【課題を解決するための手段】
【０００６】
上記目的を達成すべく、本考案により提供される技術は、以下のとおりである。
【０００７】
本考案は、カーエアコン蒸発器用の手持ち式可視洗浄装置であって、洗浄装置と、手持ち式の可視化装置とを有し、前記洗浄装置は１つのケースを有し、前記ケースの内部に、洗浄液体を貯蔵するための少なくとも１つの液体タンクが配設されており、前記液体タンクが、通風ダクトと接続されており、対応の前記通風ダクトを介して、前記ケースに配置される通風ダクトインタフェースに接続され、前記液体タンクの底部に第１制御スイッチと電気接続される電磁弁が配置され、前記電磁弁の他の一端が前記ケースの外部にあるドレンダクトに接続され、前記ドレンダクトの末端に洗浄ノズルが設けられており、前記手持ち式の可視化装置は、ハンドル、第１表示制御機構及び内視鏡プローブを有し、前記第１表示制御機構は、前記ハンドルに設けられ且つ内視鏡ワイヤによって前記内視鏡プローブに電気接続され、前記内視鏡ワイヤと前記ドレンダクトの一端とが並行して設置される。
【０００８】
好ましくは、上記考案において、前記液体タンクとして、洗剤タンク、洗浄液タンク及び滅菌剤タンクの３つのタンクが設けられる。
【０００９】
好ましくは、上記考案において、前記液体タンクの頂部に開口が設けられ、前記開口に１つのタンク蓋が配置される。
【００１０】
好ましくは、上記考案において、前記第１表示制御機構は、前記ハンドルに配置される第１表示装置及び第１制御パネルを有する。
【００１１】
好ましくは、上記考案において、前記第１制御スイッチは、前記ケースの外部又は前記ケースに設けられ、前記ケースに、対応の前記電磁弁の開閉状態を表示するためのＬＥＤランプが配置され、前記ケースに、気圧計、及び、気圧調整ノブ又は加圧・減圧ノブが配置される。
【００１２】
好ましくは、上記考案において、前記内視鏡ワイヤと前記ドレンダクトの一端の外部に、１つのスリーブが套設される。
【００１３】
好ましくは、上記考案において、前記洗浄ノズルが、扇形構造を有する。
【００１４】
好ましくは、上記考案において、前記ハンドルに第２制御スイッチが設けられ、前記第２制御スイッチと前記第１制御スイッチとが電気接続される。
【００１５】
好ましくは、上記考案において、前記ケースに第２表示制御機構が配置され、前記第２表示制御機構と前記第１表示制御機構とが電気接続され、前記第２表示制御機構は、第２表示装置及び第２制御パネルを有する。
【００１６】
好ましくは、上記考案において、前記第１表示制御機構又は前記第２表示制御機構は、ワイヤ又はワイヤレスの方式によって外部表示設備と通信可能に接続される。
【００１７】
好ましくは、上記技術案において、前記ケースの内部に、遠隔制御端末と通信可能に接続されるメイン制御機構が配置され、前記メイン制御機構は、制御モジュールと、それぞれ前記制御モジュールと電気接続される無線通信モジュール、ＧＰＳ位置測定モジュール、時間計測モジュール、使用回数計測モジュール、電力開閉制御モジュール、故障警報モジュール及び分解防止警報モジュールとを有し、前記分解防止警報モジュールは、前記ケースの内部に配置される分解防止センサに電気接続され、前記制御モジュールは、前記ケースに配置されるデジタルディスプレイに電気接続される。
【考案の効果】
【００１８】
従来の技術と比較して、本考案は、洗浄装置及び手持ち式の可視化装置を利用することでカーエアコン蒸発器に対して可視化の洗浄操作を実現し、汚れ落とし、殺菌及び臭味除去の効果が高く、エアコン部材を取り外し分解することなく、操作が便利であり、しかもリアルタイムに洗浄が必要とされる位置を観察しつつ、洗浄のプロセス及び洗浄の効果を確認できると共に、全般プロセスに対し録画と撮影することができ、洗浄が徹底的であり、作業効率が高い。
【図面の簡単な説明】
【００１９】
【図１】カーエアコン蒸発器用の手持ち式可視洗浄装置の構造を示す斜視図である。
【図２】洗浄装置の局部構造を示す概略図である。
【図３】内視鏡ワイヤ、ドレンダクト及びスリーブの位置関係を示す概略図である。
【図４】図１におけるＡ部位の拡大図である。
【図５】別の形態のカーエアコン蒸発器用の手持ち式可視洗浄装置の構造を示す斜視図である。
【図６】別の形態のカーエアコン蒸発器用の手持ち式可視洗浄装置の構造を示す斜視図である。
【図７】カーエアコン蒸発器用の手持ち式可視洗浄装置と外部表示設備との接続関係を示す斜視図である。
【図８】別の形態のカーエアコン蒸発器用の手持ち式可視洗浄装置の構造を示す斜視図である。
【図９】制御機構の回路を示すブロック図である。
【図１０】別の形態のカーエアコン蒸発器用の手持ち式可視洗浄装置の構造を示す斜視図である。
【考案を実施するための形態】
【００２０】
以下、図面と実施例を以って本考案に係るカーエアコン蒸発器用の手持ち式可視洗浄装置について更に詳しく説明する。
【００２１】
以下は、本考案に係るカーエアコン蒸発器用の手持ち式可視洗浄装置の好適な実施例であり、本考案の保護範囲がこれらによって限定されるものではない。
【００２２】
実施例１
図１に、１種のカーエアコン蒸発器用の手持ち式可視洗浄装置が示されている。当該カーエアコン蒸発器用の手持ち式可視洗浄装置は、洗浄装置１及び手持ち式の可視化装置２を有する。洗浄装置１は、カーエアコン蒸発器を洗浄する洗浄液体を供給すると共に洗浄操作を行い、手持ち式の可視化装置２は、洗浄装置１と同調しながら洗浄プロセスの可視化操作を実現する。以下、本実施例に係る洗浄装置１及び手持ち式の可視化装置２の構造と作動原理について詳細に説明する。
【００２３】
図２に示すように、洗浄装置１は、１つのケース１１を備え、ケース１１の内部に少なくとも１つの洗浄液体を貯蔵するための液体タンクが配置され、各液体タンクの頂部に何れも開口が設けられ、開口に１つのタンク蓋１９が設けられ、タンク蓋１９を旋回して開くことで所要の洗浄液体を対応の液体タンクに注入することができる。本実施例において、液体タンクを３つ設け、異なる洗浄液体に応じてそれぞれ洗剤タンク１２、洗浄液タンク１３及び滅菌剤タンク１４になっており、洗剤は、発泡と汚れ落としプロセスに用いられ、洗浄液は、洗浄プロセルに用いられ、滅菌剤は、滅菌と空気乾燥プロセスに用いられる。そのうち、洗剤タンク１２、洗浄液タンク１３及び滅菌剤タンク１４にそれぞれ通風ダクト１５が接続され、洗剤タンク１２、洗浄液タンク１３及び滅菌剤タンク１４は、それぞれ対応の通風ダクト１５を介してケース１１に配置される通風ダクトインタフェース１６に接続される。作業に当たって、通風ダクトインタフェース１６は、気圧供給装置と接続可能になっており、気圧供給装置によって所要の気圧が供給される。図１に示すように、ケース１１に、気圧計１７、及び気圧調整ノブ１８又は加圧・減圧ノブが配置される。そのうち、通風ダクトインタフェース１６からの気流は、まず気圧調整ノブ１８を通過した後、対応の通風ダクト１５を経由して洗剤タンク１２、洗浄液タンク１３及び滅菌剤タンク１４に流れるようになっている。
【００２４】
また、洗剤タンク１２、洗浄液タンク１３及び滅菌剤タンク１４の底部にそれぞれ電磁弁１１０が設けられ、電磁弁１１０は、ワイヤによって第１制御スイッチ１１１に電気接続される。電磁弁１１０の他の一端は、ケース１１の外部と繋がるドレンダクト１１２に接続され、ドレンダクト１１２の末端に、カーエアコン蒸発器内に挿入して洗浄を行うことが可能な洗浄ノズル１１３が設けられ、洗浄ノズル１１３は、扇形構造を呈し、気圧を増大させて洗浄ノズル１１３の洗浄効果を高めることができる。
【００２５】
本実施例において、第１制御スイッチ１１１は、ケース１１の外部に設けられ、第１制御スイッチ１１１は、洗浄スイッチ、除染スイッチ及び滅菌スイッチを有し、ケース１１に３つのＬＥＤランプ１１４が設けられ、ＬＥＤランプ１１４により洗剤タンク１２、洗浄液タンク１３及び滅菌剤タンク１４の底部に位置する電磁弁１１０の開閉状態を表示することができる。
【００２６】
図１に示すように、手持ち式の可視化装置２は、ハンドル２１、第１表示制御機構及び内視鏡プローブ２２を備え、第１表示制御機構は、ハンドル２１に設けられ且つ内視鏡ワイヤ２３により内視鏡プローブ２２に電気接続される。また、ドレンダクト１１２を内視鏡プローブ２２と共にカーエアコン蒸発器内に挿入するため、図１、図３及び図４に示すように、内視鏡ワイヤ２３とドレンダクト１１２の一端の外部に１つのスリーブ２４が套設され、よって、内視鏡ワイヤ２３とドレンダクト１１２を並行に設置させて可視化の洗浄パイプを形成する。
【００２７】
そのうち、第１表示制御機構は、第１表示装置２５及び第１制御パネル２６を備え、第１表示制御機構は、録画と撮影の機能を備えることで目視観察に便利であり、内視鏡プローブ２２で録画したビデオ信号は、内視鏡ワイヤ２３を介して第１表示装置２５に送信されて表示される。
【００２８】
本考案に係る洗浄操作の流れは、以下のとおりである。
【００２９】
（１）洗剤、洗浄液及び滅菌剤をそれぞれ対応の液体タンクに注入する。
【００３０】
（２）電源を入れ、洗浄装置の電源スイッチをオンにする。
【００３１】
（３）気圧供給装置の空気供給ダクトを接続し、洗浄装置の気圧を所定値に調整する。
【００３２】
（４）カーエアコン蒸発器を対象にし、内視鏡を作業状態にしたままで洗浄装置の可視洗浄パイプをカーエアコン蒸発器内に挿入し、汚れの状況を目視観察する。
【００３３】
（５）洗浄スイッチをオンにし、洗浄液をカーエアコン蒸発器に噴き込んで湿潤させた後、当該スイッチを切る。
【００３４】
（６）除染スイッチをオンにし、洗剤をカーエアコン蒸発器へ向かって噴き込んだ後、当該スイッチを切り、カーエアコン蒸発器について発泡の状態で一定時間かけて汚れを剥離・分解する。
【００３５】
（７）再び洗浄スイッチをオンにし、洗浄液をカーエアコン蒸発器へ向かって噴き込んだ後、発泡の汚れを満遍なく洗浄する。
【００３６】
（８）滅菌スイッチをオンにし、滅菌剤を残らず均一にカーエアコン蒸発器へ向かって噴き込んだ後、空気を流して残液を乾燥させる。
【００３７】
（９）洗浄を終了する。
【００３８】
実施例２
図５に、別の形態のカーエアコン蒸発器用の手持ち式可視洗浄装置が示されている。当該カーエアコン蒸発器用の手持ち式可視洗浄装置は、洗浄装置１及び手持ち式の可視化装置２を有する。本実施例２における洗浄装置１及び手持ち式の可視化装置２は、実施例１における洗浄装置１及び手持ち式の可視化装置２と比較して構造と作業原理においてさほど変わりがなく、同じ構成についてはここで省略し、異なる点としては、洗浄装置１における第１制御スイッチ１１１（洗浄スイッチ、除染スイッチ及び滅菌スイッチを有する）がケース１１の頂部に設けられ、且つＬＥＤランプ１１４の片方に位置することが挙げられる。言うまでもなく、操作の便宜さが図られる範囲内で、第１制御スイッチ１１１のケース１１における位置を随意に変動してもよい。
【００３９】
また、操作の利便性を考慮すると、手持ち式の可視化装置２のハンドル２１に第２制御スイッチ２７を設けてもよく、第２制御スイッチ２７を第１制御スイッチ１１１に電気接続させ、第１制御スイッチ１１１中の１つのスイッチを入れた状態のままで、第２制御スイッチ２を入れることで対応の電磁弁１１０を開くことができるようにしてもよい。
【００４０】
実施例３
図６に、別の形態のカーエアコン蒸発器用の手持ち式可視洗浄装置が示されている。当該カーエアコン蒸発器用の手持ち式可視洗浄装置は、洗浄装置１及び手持ち式の可視化装置２を有する。本実施例３における洗浄装置１及び手持ち式の可視化装置２は、実施例２における洗浄装置１及び手持ち式の可視化装置２と比較して構造と作業原理においてさほど変わりがなく、同じ構成についてはここで省略し、異なる点としては、洗浄装置１のケース１１に第２表示制御機構が設けられ、当該第２表示制御機構と第１表示制御機構が電気接続されることが挙げられる。本実施例において、第２表示制御機構は、第２表示装置１１５及び第２制御パネル１１６を有する。同様に、実施例１に係る洗浄装置１に第２表示制御機構を配置してもよい。
【００４１】
念のために説明するが、図７に示すように、上記実施例に係る可視洗浄装置において、第１表示制御機構又は第２表示制御機構に更にデータインタフェースを設けてもよく、ワイヤ又はワイヤレスの方式によって外部表示設備３とデータ通信を行い、ビデオ信号を伝送する。そのうち、外部表示設備３としては、お客様の休憩室に配置されるテレビ、パソコン等の設備であり、お客様が愛車の洗浄プロセルをリアルタイムに観察できるようにする。
【００４２】
実施例４
図８に、別の形態のカーエアコン蒸発器用の手持ち式可視洗浄装置が示されている。当該カーエアコン蒸発器用の手持ち式可視洗浄装置は、洗浄装置１及び手持ち式の可視化装置２を有する。本実施例４における洗浄装置１及び手持ち式の可視化装置２は、実施例２における洗浄装置１及び手持ち式の可視化装置２と比較して構造と作業原理においてさほど変わりがなく、同じ構成についてはここで省略し、異なる点としては、ケース１１の内部にメイン制御機構４が配置され、メイン制御機構４は、遠隔制御端末（例えば、パソコン、サーバ等）と交互に通信できるように構成され、遠隔制御端末を利用して洗浄装置の作業状況を監視・制御しつつ関連の情報を収集することができる。
【００４３】
図９に示すように、具体的には、メイン制御機構４は、制御モジュール４１、遠隔制御端末と通信を行うための無線通信モジュール４２、ＧＰＳ位置測定モジュール４３、洗浄装置の使用時間を計測するための時間計測モジュール４４、洗浄剤の使用回数を計測するための使用回数計測モジュール４５、電力開閉制御モジュール４６、故障警報モジュール４７、及び分解防止警報モジュール４８を備え、無線通信モジュール４２、ＧＰＳ位置測定モジュール４３、時間計測モジュール４４、使用回数計測モジュール４５、電力開閉制御モジュール４６、故障警報モジュール４７及び分解防止警報モジュール４８は、それぞれ制御モジュール４１に電気接続される。そのうち、分解防止警報モジュール４６は、ケース１１の内部に配置される分解防止センサ５に電気接続され、洗浄装置から無許可でケース１１が取り外された場合、分解防止センサ５が信号を分解防止警報モジュール４６へ送信し、分解防止警報モジュール４６が信号を受信すると、無線通信モジュール４２を介して当該信号を遠隔制御端末へ遠隔送信する。
【００４４】
また、制御モジュール４１は、更にケース１１に配置されるデジタルディスプレイ６に電気接続されてもよく、デジタルディスプレイ６を利用して時間計測モジュール４４により計測される洗浄装置の使用時間、及び使用回数計測モジュール４５により計測される洗浄剤の使用回数を表示することができる。
【００４５】
図１０に示すように、本実施例４において、カーエアコン蒸発器用の手持ち式可視洗浄装置の洗浄装置１のケース１１に第２表示制御機構を配置してもよく、第２表示制御機構は、第２表示装置１１５を第２制御パネル１１６を有する。
【００４６】
当然のことながら、構造の簡略化の観点から、メイン制御機構４の制御モジュール４１を、第２表示制御機構の第２表示装置１１５に直接に電気接続してもよく、第２表示装置１１５を利用して時間計測モジュール４４により計測される洗浄装置の使用時間、及び使用回数計測モジュール４５により計測される洗浄剤の使用回数を表示することができる。
【００４７】
以上を纏めると、本考案によれば、カーエアコン蒸発器に対して可視化の洗浄作業を実現でき、汚れ落とし、殺菌、及び臭味除去の効果が高く、エアコン部材を取り外し分解することなく、操作が便利であり、しかもリアルタイムに洗浄が必要とされる位置を目視観察しつつ洗浄のプロセス及び洗浄の効果を確認できると共に、全般プロセスに対し録画と撮影することができ、洗浄が徹底的であり、作業効率が高い。
【００４８】
なお、本考案は、更に、例えば、燃焼室、吸気通路、吸気分岐通路及び通風管路等といった自動車の他の装置、部材及びシステムの洗浄にも適用することができる。
【００４９】
上記実施例は、本考案に関わる比較的好適な実施形態であり、本考案の実施形態が上記実施例に制限されるものではない。本考案の思想と宗旨を逸脱しない範囲内において施された種々の変更、変形、差替え、組み合わせ、省略は、何れも同等の効果を奏する置換形態に該当し、本考案の保護範囲内に含まれる。
【符号の説明】
【００５０】
１  洗浄装置
２  手持ち式の可視化装置
３  外部表示設備
４  メイン制御機構
５  分解防止センサ
６  デジタルディスプレイ
１１  ケース
１２  洗剤タンク
１３  洗浄液タンク
１４  滅菌剤タンク
１５  通風ダクト
１６  通風ダクトインタフェース
１７  気圧計
１８  気圧調整ノブ
１９  タンク蓋
２１  ハンドル
２２  内視鏡プローブ
２３  内視鏡ワイヤ
２４  スリーブ
２５  第１表示装置
２６  第１制御パネル
２７  第２制御スイッチ
４１  制御モジュール
４２  無線通信モジュール
４３  ＧＰＳ位置測定モジュール
４４  時間計測モジュール
４５  使用回数計測モジュール
４６  分解防止警報モジュール
４７  故障警報モジュール
４８  分解防止警報モジュール
１１０  電磁弁
１１１  第１制御スイッチ
１１２  ドレンダクト
１１３  洗浄ノズル
１１４  ＬＥＤランプ
１１５  第２表示装置
１１６  第２制御パネル
【図１】
0003198823.tif 000003
【図２】
0003198823.tif 000004
【図３】
0003198823.tif 000005
【図４】
0003198823.tif 000006
【図５】
0003198823.tif 000007
【図６】
0003198823.tif 000008
【図７】
0003198823.tif 000009
【図８】
0003198823.tif 000010
【図９】
0003198823.tif 000011
【図１０】
0003198823.tif 000012